【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
フォーカスレンズを含む光学系による光学像を撮像素子に結像させ撮像して画像信号を生成する撮像部を有し、撮像領域内に設定された焦点検出領域に関する焦点検出信号に基づいて焦点調節を行う焦点調節装置において、
上記フォーカスレンズの位置を検出するフォーカスレンズ位置検出部と、
上記フォーカスレンズの移動に伴う上記光学系の像倍率変化に関する情報を記憶する記憶部と、
上記撮像領域内に焦点検出領域を設定する焦点検出領域設定部と、
を具備し、
上記焦点検出領域設定部は、上記フォーカスレンズの位置と上記像倍率変化に関する情報に基づいて焦点検出領域を設定する、
ことを特徴とする焦点調節装置。
【請求項２】
上記焦点検出領域設定部は、焦点検出領域の大きさを変化させることを特徴とする請求項１に記載の焦点調節装置。
【請求項３】
上記焦点検出領域設定部は、上記焦点検出領域の像高に応じて焦点検出領域の大きさを変化させることを特徴とする請求項２に記載の焦点調節装置。
【請求項４】
上記焦点検出領域設定部は、上記焦点検出領域の位置を変更することを特徴とする請求項１に記載の焦点調節装置。
【請求項５】
上記焦点検出領域設定部は、焦点検出領域の像高に応じて焦点検出領域の位置を変更することを特徴とする請求項４に記載の焦点調節装置。
【請求項６】
フォーカスレンズを含む光学系による光学像を撮像素子に結像させ撮像して画像信号を生成する撮像部を有し、撮像領域内に設定された焦点検出領域に関する焦点検出信号に基づいて焦点調節を行う焦点調節装置において、
上記撮像領域内に焦点検出領域を設定する焦点検出領域設定部と、
上記撮像部の画像信号に基づいて被写体像を追尾する追尾部と、
を具備し、
上記追尾部は、上記焦点検出領域の位置が所定の像高位置より大きい場合に、上記焦点検出領域に位置する被写体像について上記フォーカスレンズの移動に応じて追尾を行い、
上記焦点検出領域設定部は、上記追尾部の追尾結果に基づいて焦点検出領域を設定する、
ことを特徴とする焦点調節装置。
【請求項７】
上記追尾部は、上記撮像部が出力する複数の画像信号に関するパターンマッチング処理を行うことにより追尾動作を行うことを特徴とする請求項６に記載の焦点調節装置。
【請求項８】
上記焦点検出領域設定部は、上記追尾部による追尾動作が不能である場合に上記焦点検出領域の大きさを変更することを特徴とする請求項６に記載の焦点調節装置。
【請求項９】
上記焦点検出領域設定部は、上記焦点検出領域の位置が所定の像高位置より大きい場合に、上記追尾部の追尾結果に基づいて焦点検出領域を設定し、上記焦点検出領域の位置が所定の像高位置より小さい場合に、焦点検出領域を変更しないことを特徴とする請求項６に記載の焦点調節装置。
【請求項１０】
フォーカスレンズを含む光学系を有する交換レンズと、上記交換レンズを着脱可能なカメラ本体部とから構成されるカメラシステムにおいて、
上記交換レンズは、
上記フォーカスレンズの位置を検出するフォーカスレンズ位置検出部と、
上記フォーカスレンズの移動に伴う上記光学系の像倍率変化に関する情報を記憶する記憶部と、
を有し、
上記カメラ本体部は、
上記光学系による光学像を撮像素子に結像させ撮像して撮像領域の画像信号を生成する撮像部と、
上記撮像領域内に焦点検出領域を設定する焦点検出領域設定部と、
上記焦点検出領域内の上記画像信号から算出される焦点検出信号に基づいて焦点調節を行う焦点調節部と、
を有し、
上記焦点検出領域設定部は、上記フォーカスレンズ位置検出部の出力するフォーカスレンズの位置と上記記憶部の出力する像倍率変化に関する情報に基づいて焦点検出領域を設定することを特徴とするカメラシステム。
【請求項１１】
上記焦点検出領域設定部は、上記焦点検出領域の像高に応じて設定する焦点検出領域の大きさを変化させることを特徴とする請求項１０に記載のカメラシステム。
【請求項１２】
上記焦点検出領域設定部は、上記焦点検出領域の像高に応じて設定する焦点検出領域の位置を変更することを特徴とする請求項１０に記載のカメラシステム。
【請求項１３】
フォーカスレンズを含む光学系による光学像を撮像素子に結像させ撮像して撮像領域内の画像信号を生成する撮像部と、上記フォーカスレンズの移動に伴う上記光学系の像倍率変化に関する情報を記憶する記憶部と、を有し、上記撮像領域内に設定された焦点検出領域に関する焦点検出信号に基づいて焦点調節を行う焦点調節装置の制御方法において、
上記フォーカスレンズの移動に応じて、上記フォーカスレンズの位置と上記像倍率変化に関する情報に基づいて予め指定されている第１の焦点検出領域を変更して第２の焦点検出領域を設定し、第２の焦点検出領域に関する焦点検出信号に基づいて焦点調節を行うことを特徴とする焦点調節装置の制御方法。
【請求項１４】
予め指定されている焦点検出領域の像高に応じて、上記第１の焦点検出領域の位置を変更して第２の焦点検出領域を設定することを特徴とする請求項１３に記載の焦点調節装置の制御方法。
【請求項１５】
予め指定されている焦点検出領域の像高に応じて、上記第１の焦点検出領域の大きさを変更して第２の焦点検出領域を設定することを特徴とする請求項１３に記載の焦点調節装置の制御方法。
【手続補正２】
【補正対象書類名】明細書
【補正対象項目名】発明の名称
【補正方法】変更
【補正の内容】
【発明の名称】焦点調節装置および焦点調節装置の制御方法
【手続補正３】
【補正対象書類名】明細書
【補正対象項目名】０００１
【補正方法】変更
【補正の内容】
【０００１】
本発明は、撮像領域内に焦点検出領域を設定し、この焦点検出領域の焦点検出信号に基づいて焦点調節を行う焦点調節装置および焦点調節装置の制御方法に関する。
【手続補正４】
【補正対象書類名】明細書
【補正対象項目名】０００６
【補正方法】変更
【補正の内容】
【０００６】
本発明は、このような事情を鑑みてなされたものであり、焦点調節時のフォーカスレンズの移動による像倍率の変化に応じて焦点検出領域を設定し、高精度な焦点調節を可能とする焦点調節装置および焦点調節装置の制御方法を提供することを目的とする。
【手続補正５】
【補正対象書類名】明細書
【補正対象項目名】０００８
【補正方法】変更
【補正の内容】
【０００８】
第２の発明に係る焦点調節装置は、上記第１の発明において、上記焦点検出領域設定部は、焦点検出領域の大きさを変化させる。
第３の発明に係る焦点調節装置は、上記第２の発明において、上記焦点検出領域設定部は、上記焦点検出領域の像高に応じて焦点検出領域の大きさを変化させる。
第４の発明に係る焦点調節装置は、上記第１の発明において、上記焦点検出領域設定部は、上記焦点検出領域の位置を変更する。
第５の発明に係る焦点調節装置は、上記第１の発明において、上記焦点検出領域設定部は、焦点検出領域の像高に応じて焦点検出領域の位置を変更する。
【手続補正６】
【補正対象書類名】明細書
【補正対象項目名】０００９
【補正方法】変更
【補正の内容】
【０００９】
第６の発明に係る焦点調節装置は、フォーカスレンズを含む光学系による光学像を撮像素子に結像させ撮像して画像信号を生成する撮像部を有し、撮像領域内に設定された焦点検出領域に関する焦点検出信号に基づいて焦点調節を行う焦点調節装置において、上記撮像領域内に焦点検出領域を設定する焦点検出領域設定部と、上記撮像部の画像信号に基づいて被写体像を追尾する追尾部と、を具備し、上記追尾部は、上記焦点検出領域の位置が所定の像高位置より大きい場合に、上記焦点検出領域に位置する被写体像について上記フォーカスレンズの移動に応じて追尾を行い、上記焦点検出領域設定部は、上記追尾部の追尾結果に基づいて焦点検出領域を設定する。
【手続補正７】
【補正対象書類名】明細書
【補正対象項目名】００１０
【補正方法】変更
【補正の内容】
【００１０】
第７の発明に係る焦点調節装置は、上記第６の発明において、上記追尾部は、上記撮像部が出力する複数の画像信号に関するパターンマッチング処理を行うことにより追尾動作を行う。
第８の発明に係る焦点調節装置は、上記第６の発明において、上記焦点検出領域設定部は、上記追尾部による追尾動作が不能である場合に上記焦点検出領域の大きさを変更する。
第９の発明に係る焦点調節装置は、上記第６の発明において、上記焦点検出領域設定部は、上記焦点検出領域の位置が所定の像高位置より大きい場合に、上記追尾部の追尾結果に基づいて焦点検出領域を設定し、上記焦点検出領域の位置が所定の像高位置より小さい場合に、焦点検出領域を変更しない。
【手続補正８】
【補正対象書類名】明細書
【補正対象項目名】００１１
【補正方法】変更
【補正の内容】
【００１１】
第１０の発明に係る焦点調節装置の制御方法は、フォーカスレンズを含む光学系を有する交換レンズと、上記交換レンズを着脱可能なカメラ本体部とから構成されるカメラシステムにおいて、上記交換レンズは、上記フォーカスレンズの位置を検出するフォーカスレンズ位置検出部と、上記フォーカスレンズの移動に伴う上記光学系の像倍率変化に関する情報を記憶する記憶部と、を有し、上記カメラ本体部は、上記光学系による光学像を撮像素子に結像させ撮像して撮像領域の画像信号を生成する撮像部と、上記撮像領域内に焦点検出領域を設定する焦点検出領域設定部と、上記焦点検出領域内の上記画像信号から算出される焦点検出信号に基づいて焦点調節を行う焦点調節部と、を有し、上記焦点検出領域設定部は、上記フォーカスレンズ位置検出部の出力するフォーカスレンズの位置と上記記憶部の出力する像倍率変化に関する情報に基づいて焦点検出領域を設定する。
第１１の発明に係る焦点調節装置の制御方法は、上記第１０の発明において、上記焦点検出領域設定部は、上記焦点検出領域の像高に応じて設定する焦点検出領域の大きさを変化させる。
第１２の発明に係る焦点調節装置の制御方法は、上記第１０の発明において、上記焦点検出領域設定部は、上記焦点検出領域の像高に応じて設定する焦点検出領域の位置を変更する。
【手続補正９】
【補正対象書類名】明細書
【補正対象項目名】００１２
【補正方法】変更
【補正の内容】
【００１２】
第１３の発明に係る焦点調節装置の制御方法は、フォーカスレンズを含む光学系による光学像を撮像素子に結像させ撮像して撮像領域内の画像信号を生成する撮像部と、上記フォーカスレンズの移動に伴う上記光学系の像倍率変化に関する情報を記憶する記憶部と、を有し、上記撮像領域内に設定された焦点検出領域に関する焦点検出信号に基づいて焦点調節を行う焦点調節装置の制御方法において、上記フォーカスレンズの移動に応じて、上記フォーカスレンズの位置と上記像倍率変化に関する情報に基づいて予め指定されている第１の焦点検出領域を変更して第２の焦点検出領域を設定し、第２の焦点検出領域に関する焦点検出信号に基づいて焦点調節を行う。
第１４の発明に係る焦点調節装置の制御方法は、上記第１３の発明において、予め指定されている焦点検出領域の像高に応じて、上記第１の焦点検出領域の位置を変更して第２の焦点検出領域を設定する。
第１５の発明に係る焦点調節装置の制御方法は、上記第１３の発明において、予め指定されている焦点検出領域の像高に応じて、上記第１の焦点検出領域の大きさを変更して第２の焦点検出領域を設定する。
【手続補正１０】
【補正対象書類名】明細書
【補正対象項目名】００１３
【補正方法】変更
【補正の内容】
【００１３】
本発明によれば、焦点調節時のフォーカスレンズの移動による像倍率の変化に応じて焦点検出領域を設定し、高精度な焦点調節を可能とする焦点調節装置および焦点調節装置の制御方法を提供することができる。